【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
複数の光電変換部と、前記複数の光電変換部に対応して配置されたコアとクラッドを有する複数の導波路と、前記複数の導波路に対応して配置されたマイクロレンズと、を有する画素を備えた固体撮像素子であって、
前記固体撮像素子の周辺領域に配置された少なくとも１つの画素において、
前記マイクロレンズは、その中心軸が前記画素の中心軸に対して偏心して配置され、
前記複数の光電変換部は、第１の光電変換部と第２の光電変換部とを有し、
前記第１の光電変換部は、前記画素の中心軸に対して、前記マイクロレンズの偏心方向を前記第１の光電変換部の中心と前記第２の光電変換部の中心とを結ぶ直線上に射影した方向とは反対方向に配置され、
前記第２の光電変換部は、前記画素の中心軸に対して、前記マイクロレンズの偏心方向を前記直線上に射影した方向と同じ方向に配置され、
前記第１の光電変換部の断面積は、前記第２の光電変換部の断面積よりも大きいことを特徴とする固体撮像素子。
【請求項２】
前記第１の光電変換部と前記第２の光電変換部とが配列された配列方向における前記第１の光電変換部の幅が、前記配列方向における前記第１の光電変換部の幅よりも大きいことを特徴とする請求項１に記載の固体撮像素子。
【請求項３】
前記周辺領域に、マイクロレンズの偏心量が異なる少なくとも２つの画素が配置され、
前記マイクロレンズの偏心量が大きい画素の方が、前記マイクロレンズの偏心量が小さい画素よりも、前記第２の光電変換部の断面積に対する前記第１の光電変換部の断面積の比の値が大きいことを特徴とする請求項１又は２に記載の固体撮像素子。
【請求項４】
複数の画素を有し、
前記複数の画素において、各画素内の前記複数の光電変換部の断面積の和が等しいことを特徴とする請求項１乃至３のいずれか１項に記載の固体撮像素子。
【請求項５】
複数の光電変換部と、前記複数の光電変換部に対応して配置されたコアとクラッドを有する複数の導波路と、前記複数の導波路に対応して配置されたマイクロレンズと、を有する画素を備えた固体撮像素子であって、
前記固体撮像素子にある周辺領域に配置された少なくとも１つの画素において、
前記マイクロレンズは、その中心軸が前記画素の中心軸に対して偏心して配置され、
前記複数の光電変換部は、第１の光電変換部と第２の光電変換部と、を有し、
前記第１の光電変換部は、前記画素の中心軸に対して、前記マイクロレンズの偏心方向を前記第１の光電変換部の中心と前記第２の光電変換部の中心とを結ぶ直線上に射影した方向とは反対方向に配置され、
前記第２の光電変換部は、前記画素の中心軸に対して、前記マイクロレンズの偏心方向を前記直線上に射影した方向と同じ方向に配置され、
前記第１の光電変換部に蓄えられるキャリアに対して引力となるバイアスを印加する第１の電極、及び、前記キャリアに対して斥力となるバイアスを印加する第２の電極のうち、少なくとも一方の電極を有することを特徴とする固体撮像素子。
【請求項６】
前記第１の電極と前記第２の電極の両方を有することを特徴とする請求項５に記載の固体撮像素子。
【請求項７】
前記少なくとも一方の電極が、前記複数の光電変換部に対して前記複数の導波路と同じ側に配置されていることを特徴とする請求項５又は６に記載の固体撮像素子。
【請求項８】
前記少なくとも一方の電極が、前記複数の光電変換部に対して前記複数の導波路とは反対側に配置されていることを特徴とする請求項５又は６に記載の固体撮像素子。
【請求項９】
前記マイクロレンズが、前記固体撮像素子の中心に向かって偏心していることを特徴とする請求項１乃至８のいずれか１項に記載の固体撮像素子。
【請求項１０】
前記周辺領域が、前記固体撮像素子の中心から前記固体撮像素子の対角線の長さの０．２倍以上離れた領域であることを特徴とする請求項１乃至９のいずれか１項に記載の固体撮像素子。
【請求項１１】
前記周辺領域に、少なくとも２つの画素が配置され、
前記２つの画素のうち前記固体撮像素子の中心から離れた位置にある画素のマイクロレンズが、前記固体撮像素子の中心に近い画素のマイクロレンズに比べて偏心量が大きいことを特徴とする請求項１乃至１０のいずれか１項に記載の固体撮像素子。
【請求項１２】
さらにマイクロレンズが偏心していない画素を有することを特徴とする請求項１乃至１１のいずれか１項に記載の固体撮像素子。
【請求項１３】
さらにマイクロレンズが偏心する偏心方向と複数の導波路が配列された配列方向とが直交する画素を有し、
前記偏心方向と配列方向とが直交する画素において、複数の光電変換部の断面積が等しいことを特徴とする請求項１乃至１２のいずれか１項に記載の固体撮像素子。
【請求項１４】
前記固体撮像素子の中央領域に、さらに画素を有することを特徴とする請求項１乃至１３のいずれか１項に記載の固体撮像素子。
【請求項１５】
さらに、単一の光電変換部と、前記単一の光電変換部の上に配置されたコアとクラッドを有する単一の導波路と、前記単一の導波路の上に配置されたマイクロレンズと、を有する撮像画素を有することを特徴とする請求項１乃至１４のいずれか１項に記載の固体撮像素子。
【請求項１６】
請求項１乃至１５のいずれか１項に記載の固体撮像素子と、前記固体撮像素子に光入射側に配置された結像光学系と、を有することを特徴とする撮像装置。
【手続補正２】
【補正対象書類名】明細書
【補正対象項目名】０００９
【補正方法】変更
【補正の内容】
【０００９】
本発明は、複数の光電変換部と、前記複数の光電変換部に対応して配置されたコアとクラッドを有する複数の導波路と、前記複数の導波路に対応して配置されたマイクロレンズと、を有する画素を備えた固体撮像素子であって、前記固体撮像素子にある周辺領域に配置された少なくとも１つの画素において、前記マイクロレンズは、その中心軸が前記画素の中心軸に対して偏心して配置され、前記複数の光電変換部は、第１の光電変換部と第２の光電変換部とを有し、前記第１の光電変換部は、前記画素の中心軸に対して、前記マイクロレンズの偏心方向を前記第１の光電変換部の中心と前記第２の光電変換部の中心とを結ぶ直線上に射影した方向とは反対方向に配置され、前記第２の光電変換部は、前記画素の中心軸に対して、前記マイクロレンズの偏心方向を前記直線上に射影した方向と同じ方向に配置され、前記第１の光電変換部の断面積は、前記第２の光電変換部の断面積よりも大きいことを特徴とする。
【手続補正３】
【補正対象書類名】明細書
【補正対象項目名】００１０
【補正方法】変更
【補正の内容】
【００１０】
また、本発明は、複数の光電変換部と、前記複数の光電変換部に対応して配置されたコアとクラッドを有する複数の導波路と、前記複数の導波路に対応して配置されたマイクロレンズと、を有する画素を備えた固体撮像素子であって、前記固体撮像素子にある周辺領域に配置された少なくとも１つの画素において、前記マイクロレンズは、その中心軸が前記画素の中心軸に対して偏心して配置され、前記複数の光電変換部は、第１の光電変換部と第２の光電変換部とを有し、前記第１の光電変換部は、前記画素の中心軸に対して、前記マイクロレンズの偏心方向を前記第１の光電変換部の中心と前記第２の光電変換部の中心とを結ぶ直線上に射影した方向とは反対方向に配置され、前記第２の光電変換部は、前記画素の中心軸に対して、前記マイクロレンズの偏心方向を前記直線上に射影した方向と同じ方向に配置され、前記第１の光電変換部に蓄えられるキャリアに対して引力となるバイアスを印加する第１の電極、及び、前記キャリアに対して斥力となるバイアスを印加する第２の電極のうち、少なくとも一方の電極を有することを特徴とする。